【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
第１データ系列を用いて、サイクリックシフト量が第１値の第１サイクリックシフトがなされた第１データ信号を生成する第１生成手段と、
前記第１データ系列を用いて、第２データ信号を生成する第２生成手段と、
サイクリックシフト量が前記第１値とは異なる第２値の第２サイクリックシフトがなされた第１伝搬路推定用信号を生成する第３生成手段と、
第２伝搬路推定用信号を生成する第４生成手段と、
第２データ系列を用いて、サイクリックシフト量が前記第１値の第３サイクリックシフトがなされた第３データ信号を生成する第５生成手段と、
前記第２データ系列を用いて、第４データ信号を生成する第６生成手段と、
前記第１データ信号と前記第２データ信号とを出力し、その次に前記第１伝搬路推定用信号と前記第２伝搬路推定用信号とを出力し、その次に前記第３データ信号と前記第４データ信号とを出力する出力手段とを備え、
前記第１データ信号と前記第１伝搬路推定用信号と前記第３データ信号とは、少なくとも第１アンテナを介して送信されるように、前記出力手段によって出力され、
前記第２データ信号と前記第２伝搬路推定用信号と前記第４データ信号とは、少なくとも第２アンテナを介して送信されるように、前記出力手段によって出力されることを特徴とする通信装置。
【請求項２】
前記第２伝搬路推定用信号は、前記第４生成手段によって、サイクリックシフト量が第３値のサイクリックシフトがなされることを特徴とする請求項１に記載の通信装置。
【請求項３】
前記第２データ信号は、前記第２生成手段によって、サイクリックシフト量が前記第３値とは異なる第４値のサイクリックシフトがなされ、
前記第４データ信号は、前記第６生成手段によって、サイクリックシフト量が前記第４値のサイクリックシフトがなされることを特徴とする請求項１または２に記載の通信装置。
【請求項４】
前記第２値と前記第３値とは、各通信装置ごとに割り当てられる値であることを特徴とする請求項２または３に記載の通信装置。
【請求項５】
前記第１生成手段は、前記第１データ系列に対するＤＦＴ処理及びＩＦＦＴ処理によって、前記第１データ信号を生成し、
前記第２生成手段は、前記第１データ系列に対するＤＦＴ処理及びＩＦＦＴ処理によって、前記第２データ信号を生成し、
前記第５生成手段は、前記第２データ系列に対するＤＦＴ処理及びＩＦＦＴ処理によって、前記第３データ信号を生成し、
前記第６生成手段は、前記第２データ系列に対するＤＦＴ処理及びＩＦＦＴ処理によって、前記第４データ信号を生成することを特徴とする請求項１に記載の通信装置。
【請求項６】
前記第１データ系列と前記第２データ系列に対して誤り訂正符合化を行う誤り訂正符合部をさらに備えることを特徴とする請求項４に記載の通信装置。
【請求項７】
誤り訂正符号化された前記第１データ系列と前記第２データ系列に対して、変調を行う変調部をさらに備え、
前記変調部が行う変調の方式は、前記通信装置と、宛先の通信装置とで共有されることを特徴とする請求項５に記載の通信装置。
【請求項８】
前記第１データ信号と、前記第２データ信号と、前記第３データ信号と、前記第４データ信号と、前記第１伝搬路推定用信号と、前記第２伝搬路推定用信号とに対して、サイクリックプレフィックスを付与する付与部をさらに備えることを特徴とする請求項４に記載の通信装置。
【請求項９】
前記第１データ信号と、前記第２データ信号と、前記第３データ信号と、前記第４データ信号とは、シングルキャリア信号であることを特徴とする請求項１に記載の通信装置。
【請求項１０】
前記第１アンテナと前記第２アンテナとをさらに備え、
前記第１データ信号と前記第１伝搬路推定用信号と前記第３データ信号とを少なくとも前記第１アンテナを介して他の通信装置へ送信し、前記第２データ信号と前記第２伝搬路推定用信号と前記第４データ信号とは少なくとも前記第２アンテナを介して前記他の通信装置へ送信することを特徴とする請求項１に記載の通信装置。
【請求項１１】
前記第１アンテナと前記第２アンテナとをさらに備え、
前記第１データ信号と前記第１伝搬路推定用信号と前記第３データ信号とを少なくとも前記第１アンテナを介して他の通信装置へ送信し、前記第２データ信号と前記第２伝搬路推定用信号と前記第４データ信号とは少なくとも前記第２アンテナを介して前記他の通信装置へ送信し、
前記他の無線通信装置からのＯＦＤＭ信号を、前記前記第１アンテナと前記第２アンテナとを介して受信することを特徴とする請求項１に記載の通信装置。
【請求項１２】
他の通信装置からＯＦＤＭ信号を受信する通信装置であって、
第１データ信号と第２データ信号とを受信し、その次に第１伝搬路推定用信号と第２伝搬路推定用信号とを受信し、その次に第３データ信号と第４データ信号とを受信する受信手段とを備え、
前記第１データ信号は、第１データ系列を用いて生成された信号であって、サイクリックシフト量が第１値のサイクリックシフトがなされた信号であり、
前記第２データ信号は、前記第１データ系列を用いて生成された信号であって、
前記第１伝搬路推定用信号は、サイクリックシフト量が前記第１値とは異なる第２値でサイクリックシフトがなされた信号であり、
前記第３データ信号は、第２データ系列を用いて生成された信号であって、サイクリックシフト量が前記第１値の第３サイクリックシフトがなされた信号であり、
前記第４データ信号は、前記第２データ系列を用いて生成された信号であって、
前記第１データ信号と前記第１伝搬路推定用信号と前記第３データ信号とは、前記他の通信装置の第１アンテナを少なくとも介して送信された信号であって、
前記第２データ信号と前記第２伝搬路推定用信号と前記第４データ信号とは、前記他の通信装置の第２アンテナを少なくとも介して送信された信号であることを特徴とする通信装置。
【請求項１３】
前記第２伝搬路推定用信号は、サイクリックシフト量が第３値のサイクリックシフトがなされた信号であることを特徴とする請求項１２に記載の通信装置。
【請求項１４】
前記第２データ信号は、サイクリックシフト量が第３値とは異なる第４値のサイクリックシフトがなされた信号であり、
前記第４データ信号は、サイクリックシフト量が前記第４値のサイクリックシフトがなされた信号であることを特徴とする請求項１２または１３に記載の通信装置。
【請求項１５】
通信装置の通信方法であって、
第１データ系列を用いて、サイクリックシフト量が第１値の第１サイクリックシフトがなされた第１データ信号を生成し、
前記第１データ系列を用いて、第２データ信号を生成し、
サイクリックシフト量が前記第１値とは異なる第２値の第２サイクリックシフトがなされた第１伝搬路推定用信号を生成し、
第２伝搬路推定用信号を生成し、
第２データ系列を用いて、サイクリックシフト量が前記第１値の第３サイクリックシフトがなされた第３データ信号を生成し、
前記第２データ系列を用いて、第４データ信号を生成し、
前記第１データ信号と前記第２データ信号とを出力し、その次に前記第１伝搬路推定用信号と前記第２伝搬路推定用信号とを出力し、その次に前記第３データ信号と前記第４データ信号とを出力するものであって、
前記第１データ信号と前記第１伝搬路推定用信号と前記第３データ信号とは、少なくとも第１アンテナを介して送信され、
前記第２データ信号と前記第２伝搬路推定用信号と前記第４データ信号とは、少なくとも第２アンテナを介して送信されることを特徴とする通信装置の通信方法。
【請求項１６】
他の通信装置からＯＦＤＭ信号を受信する通信装置の通信方法であって、
第１データ信号と第２データ信号とを受信し、
前記第１データ信号と前記第２データ信号とを受信した後に、第１伝搬路推定用信号と第２伝搬路推定用信号とを受信し、
前記第１伝搬路推定用信号と前記第２伝搬路推定用信号とを受信した後に、第３データ信号と第４データ信号とを受信するものであって、
前記第１データ信号は、第１データ系列を用いて生成された信号であって、サイクリックシフト量が第１値のサイクリックシフトがなされた信号であり、
前記第２データ信号は、前記第１データ系列を用いて生成された信号であって、
前記第１伝搬路推定用信号は、サイクリックシフト量が前記第１値とは異なる第２値でサイクリックシフトがなされた信号であり、
前記第３データ信号は、第２データ系列を用いて生成された信号であって、サイクリックシフト量が前記第１値の第３サイクリックシフトがなされた信号であり、
前記第４データ信号は、前記第２データ系列を用いて生成された信号であって、
前記第１データ信号と前記第１伝搬路推定用信号と前記第３データ信号とは、前記他の通信装置の第１アンテナを少なくとも介して送信された信号であって、
前記第２データ信号と前記第２伝搬路推定用信号と前記第４データ信号とは、前記他の通信装置の第２アンテナを少なくとも介して送信された信号であることを特徴とする通信装置の通信方法。
【手続補正２】
【補正対象書類名】明細書
【補正対象項目名】発明の名称
【補正方法】変更
【補正の内容】
【発明の名称】マルチアンテナ無線通信システムにおける通信装置及び通信方法
【手続補正３】
【補正対象書類名】明細書
【補正対象項目名】０００１
【補正方法】変更
【補正の内容】
【０００１】
この発明は、巡回遅延ダイバーシチを用いたマルチアンテナ無線通信システムにおける通信装置及び通信方法に関する。
【手続補正４】
【補正対象書類名】明細書
【補正対象項目名】０００６
【補正方法】変更
【補正の内容】
【０００６】
本発明は、ＣＤＤの効果を享受しつつパイロット信号長を極力短くしてデータの伝送効率を上げることを可能とする通信装置及び通信方法を提供することを目的とする。
【手続補正５】
【補正対象書類名】明細書
【補正対象項目名】０００７
【補正方法】変更
【補正の内容】
【０００７】
本発明の第１の態様によると、第１データ系列を用いて、サイクリックシフト量が第１値の第１サイクリックシフトがなされた第１データ信号を生成する第１生成手段と、前記第１データ系列を用いて、第２データ信号を生成する第２生成手段と、サイクリックシフト量が前記第１値とは異なる第２値の第２サイクリックシフトがなされた第１伝搬路推定用信号を生成する第３生成手段と、第２伝搬路推定用信号を生成する第４生成手段と、第２データ系列を用いて、サイクリックシフト量が前記第１値の第３サイクリックシフトがなされた第３データ信号を生成する第５生成手段と、前記第２データ系列を用いて、第４データ信号を生成する第６生成手段と、前記第１データ信号と前記第２データ信号とを出力し、その次に前記第１伝搬路推定用信号と前記第２伝搬路推定用信号とを出力し、その次に前記第３データ信号と前記第４データ信号とを出力する出力手段とを備え、前記第１データ信号と前記第１伝搬路推定用信号と前記第３データ信号とは、少なくとも第１アンテナを介して送信されるように、前記出力手段によって出力され、前記第２データ信号と前記第２伝搬路推定用信号と前記第４データ信号とは、少なくとも第２アンテナを介して送信されるように、前記出力手段によって出力されることを特徴とする通信装置が提供される。
【手続補正６】
【補正対象書類名】明細書
【補正対象項目名】０００８
【補正方法】変更
【補正の内容】
【０００８】
本発明の第２の態様によると、他の通信装置からＯＦＤＭ信号を受信する通信装置であって、第１データ信号と第２データ信号とを受信し、その次に第１伝搬路推定用信号と第２伝搬路推定用信号とを受信し、その次に第３データ信号と第４データ信号とを受信する受信手段とを備え、前記第１データ信号は、第１データ系列を用いて生成された信号であって、サイクリックシフト量が第１値のサイクリックシフトがなされた信号であり、前記第２データ信号は、前記第１データ系列を用いて生成された信号であって、前記第１伝搬路推定用信号は、サイクリックシフト量が前記第１値とは異なる第２値でサイクリックシフトがなされた信号であり、前記第３データ信号は、第２データ系列を用いて生成された信号であって、サイクリックシフト量が前記第１値の第３サイクリックシフトがなされた信号であり、前記第４データ信号は、前記第２データ系列を用いて生成された信号であって、前記第１データ信号と前記第１伝搬路推定用信号と前記第３データ信号とは、前記他の通信装置の第１アンテナを少なくとも介して送信された信号であって、前記第２データ信号と前記第２伝搬路推定用信号と前記第４データ信号とは、前記他の通信装置の第２アンテナを少なくとも介して送信された信号であることを特徴とする通信装置が提供される。
【手続補正７】
【補正対象書類名】明細書
【補正対象項目名】０００９
【補正方法】変更
【補正の内容】
【０００９】
本発明の第３の態様によると、通信装置の通信方法であって、第１データ系列を用いて、サイクリックシフト量が第１値の第１サイクリックシフトがなされた第１データ信号を生成し、前記第１データ系列を用いて、第２データ信号を生成し、サイクリックシフト量が前記第１値とは異なる第２値の第２サイクリックシフトがなされた第１伝搬路推定用信号を生成し、第２伝搬路推定用信号を生成し、第２データ系列を用いて、サイクリックシフト量が前記第１値の第３サイクリックシフトがなされた第３データ信号を生成し、前記第２データ系列を用いて、第４データ信号を生成し、前記第１データ信号と前記第２データ信号とを出力し、その次に前記第１伝搬路推定用信号と前記第２伝搬路推定用信号とを出力し、その次に前記第３データ信号と前記第４データ信号とを出力するものであって、前記第１データ信号と前記第１伝搬路推定用信号と前記第３データ信号とは、少なくとも第１アンテナを介して送信され、前記第２データ信号と前記第２伝搬路推定用信号と前記第４データ信号とは、少なくとも第２アンテナを介して送信されることを特徴とする通信装置の通信方法が提供される。
【手続補正８】
【補正対象書類名】明細書
【補正対象項目名】００１０
【補正方法】変更
【補正の内容】
【００１０】
本発明の第４の態様によると、他の通信装置からＯＦＤＭ信号を受信する通信装置の通信方法であって、第１データ信号と第２データ信号とを受信し、前記第１データ信号と前記第２データ信号とを受信した後に、第１伝搬路推定用信号と第２伝搬路推定用信号とを受信し、前記第１伝搬路推定用信号と前記第２伝搬路推定用信号とを受信した後に、第３データ信号と第４データ信号とを受信するものであって、前記第１データ信号は、第１データ系列を用いて生成された信号であって、サイクリックシフト量が第１値のサイクリックシフトがなされた信号であり、前記第２データ信号は、前記第１データ系列を用いて生成された信号であって、前記第１伝搬路推定用信号は、サイクリックシフト量が前記第１値とは異なる第２値でサイクリックシフトがなされた信号であり、前記第３データ信号は、第２データ系列を用いて生成された信号であって、サイクリックシフト量が前記第１値の第３サイクリックシフトがなされた信号であり、前記第４データ信号は、前記第２データ系列を用いて生成された信号であって、前記第１データ信号と前記第１伝搬路推定用信号と前記第３データ信号とは、前記他の通信装置の第１アンテナを少なくとも介して送信された信号であって、前記第２データ信号と前記第２伝搬路推定用信号と前記第４データ信号とは、前記他の通信装置の第２アンテナを少なくとも介して送信された信号であることを特徴とする通信装置の通信方法が提供される。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】